(57)【特許請求の範囲】
【請求項１】
送信すべきレイヤ３パケットを、リンク層フレーム長に分割するリンク層処理手段と、
前記リンク層フレームを、そのままのフレーム長で物理層フレームに構成して無線回線を介して送受信する物理層処理手段と
を有する通信装置において、
移動速度及びマルチパス数に対応付けてリンク層フレーム長を規定したテーブル情報を蓄積するテーブル情報蓄積手段と、
前記テーブル情報蓄積手段を用いて、検出された前記移動速度及び前記マルチパス数に対応するリンク層フレーム長を検索するフレーム長検索手段と、
を有し、
前記リンク層処理手段は、前記レイヤ３パケットを、前記フレーム長検索手段によって検索された前記リンク層フレーム長に応じたリンク層フレームに分割することを特徴とする通信装置。
【請求項２】
前記テーブル情報は、前記移動速度及び前記マルチパス数の組み合わせ毎に、パケット誤り率が最小となるリンク層フレーム長を規定することを特徴とする請求項１に記載の通信装置。
【請求項３】
前記テーブル情報は、前記移動速度が速いほど短いリンク層フレーム長を規定し、前記マルチパス数が多いほど短いリンク層フレーム長を規定していることを特徴とする請求項１に記載の通信装置。
【請求項４】
請求項１から３のいずれか１項に記載の通信装置であって、基地局と無線を介して通信する移動可能な端末において、
移動速度を検出する移動速度検出手段と、
前記基地局からの受信パケットによって、マルチパス数を検出するマルチパス数検出手段と、
前記フレーム長検索手段によって検索された前記リンク層フレーム長を前記基地局へ送信するフレーム長送信手段と
を更に有し、
下り方向パケットのリンク層フレーム長を適応的に変更することを特徴とする端末。
【請求項５】
請求項１から３のいずれか１項に記載の通信装置であって、基地局と無線を介して通信する移動可能な端末において、
移動速度を検出する移動速度検出手段と、
上り方向パケットに対するマルチパス数を、前記基地局から受信する状態情報受信手段と
を更に有し、
上り方向パケットのリンク層フレーム長を適応的に変更することを特徴とする端末。
【請求項６】
請求項１から３のいずれか１項に記載の通信装置であって、移動可能な端末と無線を介して通信する基地局において、
前記端末における移動速度及びマルチパス数を含む状態情報を受信する状態情報受信手段を更に有し、
下り方向パケットのリンク層フレーム長を適応的に変更することを特徴とする基地局。
【請求項７】
請求項１から３のいずれか１項に記載の通信装置であって、移動可能な端末と無線を介して通信する基地局において、
前記端末における移動速度を含む状態情報を受信する状態情報受信手段と、
前記端末からの受信パケットによって、マルチパス数を検出するマルチパス数検出手段と、
前記フレーム長検索手段によって検索された前記リンク層フレーム長を前記端末へ送信するフレーム長送信手段と
を更に有し、
上り方向パケットのリンク層フレーム長を適応的に変更することを特徴とする基地局。
【請求項８】
送信すべきレイヤ３パケットを、リンク層フレーム長に分割するリンク層処理手段と、
前記リンク層フレームを、そのままのフレーム長で物理層フレームに構成して無線回線を介して送受信する物理層処理手段として、通信装置に搭載されたコンピュータを機能させるプログラムにおいて、
移動速度及びマルチパス数に対応付けてリンク層フレーム長を規定したテーブル情報を蓄積するテーブル情報蓄積手段と、
前記テーブル情報蓄積手段を用いて、検出された前記移動速度及び前記マルチパス数に対応するリンク層フレーム長を検索するフレーム長検索手段と
してコンピュータを機能させ、
前記リンク層処理手段が、前記レイヤ３パケットを、前記フレーム長検索手段によって検索された前記リンク層フレーム長に応じたリンク層フレームに分割するようにコンピュータを機能させることを特徴とするプログラム。
【請求項９】
請求項８に記載のプログラムであって、基地局と無線を介して通信する移動可能な端末に搭載されたコンピュータを機能させるプログラムにおいて、
移動速度を検出する移動速度検出手段と、
前記基地局からの受信パケットによって、マルチパス数を検出するマルチパス数検出手段と、
前記フレーム長検索手段によって検索された前記リンク層フレーム長を前記基地局へ送信するフレーム長送信手段と
を更に有し、
下り方向パケットのリンク層フレーム長を適応的に変更するようにコンピュータを機能させることを特徴とするプログラム。
【請求項１０】
請求項８に記載のプログラムであって、基地局と無線を介して通信する移動可能な端末に搭載されたコンピュータを機能させるプログラムにおいて、
移動速度を検出する移動速度検出手段と、
上り方向パケットに対するマルチパス数を、前記基地局から受信する状態情報受信手段と
を更に有し、
上り方向パケットのリンク層フレーム長を適応的に変更するようにコンピュータを機能させることを特徴とするプログラム。
【発明の詳細な説明】
【技術分野】
【０００１】
本発明は、リンク層フレーム長を適応的に変更する通信装置、端末、基地局及びプログラムに関する。
【背景技術】
【０００２】
セルラーシステムのような無線システムによれば、送信装置のリンク層処理部は、レイヤ３パケットをリンク層フレームに分割して（フラグメント化）、物理層処理部へ通知する。例えば、３ＧＰＰ２で標準化されているｃｄｍａ２０００システムによれば、レイヤ３パケットをRadio Link Protocol Frameに分割する。物理層処理部は、分割されたリンク層フレーム毎に符号化し、更にパイロット信号等を付与し、物理層フレームとして無線回線へ送信する。
【０００３】
受信装置の物理層処理部は、受信した物理層フレームを復号化し、そのフレームをリンク層処理部へ通知する。リンク層処理部は、レイヤ３パケットを構成する全てのリンク層フレームが到着するまで、受信したリンク層フレームをバッファする。リンク層処理部は、全てのリンク層フレームを受信した際に、レイヤ３パケットを組み立てて（デフラグメント化）、上位層処理部へ通知する。
【０００４】
一方で、レイヤ３パケットを分割しない無線システムとして、ＩＥＥＥ８０２．１１系の標準規格に準じた無線ＬＡＮシステムがある。このシステムでは、フラグメント化とデフラグメント化との処理が不要となるだけでなく、リンク層フレームのバッファリングも不要となる。
【０００５】
一般に、セルラーシステムは、移動可能な端末を対象としている。ドップラー周波数が大きく且つフェージングによる変動が厳しい電波伝搬環境を想定している。従って、リンク層フレーム長を短くすることによって、パケット損失の発生と、無駄な再送データ量とを低減し、フェージングに対する耐性を強化していた。
【０００６】
一方、無線ＬＡＮシステムでは、静止状態又は準静止状態にある端末を対象としている。従って、フェージングによる電波伝搬環境の変動が緩やかで、最大１５００Byte程度のレイヤ３パケットを、リンク層処理部で分割することなく、物理層フレームとして送信しても問題はない。
【０００７】
従来、受信レベルに応じて、調整データに基づいてパケット長を調整することにより、常に、通信環境に対応した最適のパケット長を決定する技術がある（例えば特許文献１参照）。これにより、パケット誤り率ＰＥＲ(Packet Error Rate)を低減することができる。しかしながら、この技術を無線ＬＡＮシステムに適用した場合、レイヤ３パケットを分割したり、レイヤ３パケット長を調整することは、元のレイヤ３パケットの復元に要する処理やオーバヘッドを増加させ、レイヤ３パケットの伝送の遅延増加やスループット低下につながる。
【０００８】
【特許文献１】特開平１１−３３１１７５号公報
【発明の開示】
【発明が解決しようとする課題】
【０００９】
しかしながら、セルラーシステムであっても無線ＬＡＮシステムであっても、リンク層フレーム長は固定である。従って、端末と基地局との間の電波伝搬環境に応じて、リンク層フレーム長が変化することはない。一方で、リンク層フレーム長によってはＰＥＲが変化する。ＰＥＲが劣化すると、自動再送要求（ＡＲＱ：Automatic Repeat reQuest）が発生し、誤ったリンク層フレームが再送される。低遅延が要求されるモバイルネットワークにおいては、再送によるレイヤ３パケットの遅延時間の増大が課題となっている。
【００１０】
従って、本発明は、電波伝搬環境に関わらず、パケット損失率を最小化することができる通信装置、端末、基地局及びプログラムを提供することを目的とする。
【課題を解決するための手段】
【００１１】
本発明によれば、
送信すべきレイヤ３パケットを、リンク層フレーム長に分割するリンク層処理手段と、
リンク層フレームを、そのままのフレーム長で物理層フレームに構成して無線回線を介して送受信する物理層処理手段と
を有する通信装置において、
移動速度及びマルチパス数に対応付けてリンク層フレーム長を規定したテーブル情報を蓄積するテーブル情報蓄積手段と、
テーブル情報蓄積手段を用いて、検出された移動速度及びマルチパス数に対応するリンク層フレーム長を検索するフレーム長検索手段と、
を有し、
リンク層処理手段は、レイヤ３パケットを、フレーム長検索手段によって検索されたリンク層フレーム長に応じたリンク層フレームに分割する
ことを特徴とする。
【００１２】
本発明の通信装置における他の実施形態によれば、テーブル情報は、移動速度及びマルチパス数の組み合わせ毎に、パケット誤り率が最小となるリンク層フレーム長を規定することも好ましい。
【００１３】
本発明の通信装置における他の実施形態によれば、テーブル情報は、移動速度が速いほど短いリンク層フレーム長を規定し、マルチパス数が多いほど短いリンク層フレーム長を規定していることも好ましい。
【００１４】
本発明によれば、前述された通信装置であって、基地局と無線を介して通信する移動可能な端末において、
移動速度を検出する移動速度検出手段と、
基地局からの受信パケットによって、マルチパス数を検出するマルチパス数検出手段と、
フレーム長検索手段によって検索されたリンク層フレーム長を基地局へ送信するフレーム長送信手段と
を更に有し、
下り方向パケットのリンク層フレーム長を適応的に変更することを特徴とする。
【００１５】
本発明によれば、前述された通信装置であって、基地局と無線を介して通信する移動可能な端末において、
移動速度を検出する移動速度検出手段と、
上り方向パケットに対するマルチパス数を、基地局から受信する状態情報受信手段と
を更に有し、
上り方向パケットのリンク層フレーム長を適応的に変更することを特徴とする。
【００１６】
本発明によれば、前述された通信装置であって、移動可能な端末と無線を介して通信する基地局において、
端末における移動速度及びマルチパス数を含む状態情報を受信する状態情報受信手段を更に有し、
下り方向パケットのリンク層フレーム長を適応的に変更することを特徴とする。
【００１７】
本発明によれば、前述された通信装置であって、移動可能な端末と無線を介して通信する基地局において、
端末における移動速度を含む状態情報を受信する状態情報受信手段と、
端末からの受信パケットによって、マルチパス数を検出するマルチパス数検出手段と、
フレーム長検索手段によって検索されたリンク層フレーム長を端末へ送信するフレーム長送信手段と
を更に有し、
上り方向パケットのリンク層フレーム長を適応的に変更することを特徴とする。
【００１８】
本発明によれば、
送信すべきレイヤ３パケットを、リンク層フレーム長に分割するリンク層処理手段と、
リンク層フレームを、そのままのフレーム長で物理層フレームに構成して無線回線を介して送受信する物理層処理手段として、通信装置に搭載されたコンピュータを機能させるプログラムにおいて、
移動速度及びマルチパス数に対応付けてリンク層フレーム長を規定したテーブル情報を蓄積するテーブル情報蓄積手段と、
テーブル情報蓄積手段を用いて、検出された移動速度及びマルチパス数に対応するリンク層フレーム長を検索するフレーム長検索手段と
してコンピュータを機能させ、
リンク層処理手段が、レイヤ３パケットを、フレーム長検索手段によって検索されたリンク層フレーム長に応じたリンク層フレームに分割するようにコンピュータを機能させることを特徴とする。
【００１９】
本発明によれば、前述されたプログラムであって、基地局と無線を介して通信する移動可能な端末に搭載されたコンピュータを機能させるプログラムにおいて、
移動速度を検出する移動速度検出手段と、
基地局からの受信パケットによって、マルチパス数を検出するマルチパス数検出手段と、
フレーム長検索手段によって検索されたリンク層フレーム長を基地局へ送信するフレーム長送信手段と
を更に有し、
下り方向パケットのリンク層フレーム長を適応的に変更するようにコンピュータを機能させることを特徴とする。
【００２０】
本発明によれば、前述されたプログラムであって、基地局と無線を介して通信する移動可能な端末に搭載されたコンピュータを機能させるプログラムにおいて、
移動速度を検出する移動速度検出手段と、
上り方向パケットに対するマルチパス数を、基地局から受信する状態情報受信手段と
を更に有し、
上り方向パケットのリンク層フレーム長を適応的に変更するようにコンピュータを機能させることを特徴とする。
【発明の効果】
【００２１】
本発明における通信装置、端末、基地局及びプログラムによれば、低遅延モバイルネットワークについて、電波伝搬環境に関わらず、パケット損失率を最小化することができる。端末の移動速度及びマルチパス数に応じてリンク層フレーム長を変化させることにより、ＰＥＲを最小にすることができる。これは、再送回数を減らすことにつながり、特に、低遅延モバイルネットワークにおいては、レイヤ３パケットの伝送に要する時間の短縮化を実現できる。
【発明を実施するための最良の形態】
【００２２】
以下では、図面を用いて、本発明を実施するための最良の形態について詳細に説明する。
【００２３】
図１は、端末の移動が低速度（３．６ｋｍ／ｈ）であって、フェージングによる電波伝搬環境の変動が少ない（ドップラー周波数１６．６Ｈｚ）場合に、リンク層フレーム長に対するＦＥＲ(Frame Error Rate)及びＰＥＲの変化を表すグラフである。
【００２４】
図２は、端末の移動が高速度（１０８ｋｍ／ｈ）であって、フェージングによる電波伝搬環境の変動が激しい（ドップラー周波数５００Ｈｚ）場合に、リンク層フレーム長に対するＦＥＲ及びＰＥＲの変化を表すグラフである。
【００２５】
図１及び図２は、ＩＰパケット長：１５００Byte、使用周波数帯：５ＧＨｚとする。その他のパラメータは、ＩＥＥＥ８０２．１１ａの標準規格に準拠する。
【００２６】
図１によれば、ＰＥＲが最小となるリンク層フレーム長は、ＩＰパケット長と同じ１５００Byteである。これは、リンク層フレーム長が増加することによって、（ＦＥＲの劣化に伴う）ＰＥＲの劣化よりも、リンク層フレーム数の減少によるＰＥＲの改善度が支配的になっていることを意味する。従って、リンク層フレーム長の増加によって、ＰＥＲが劣化する。
【００２７】
一方、図２によれば、ＰＥＲが最小となるリンク層フレーム長は、２５０Byteである。これは、リンク層フレーム長が短い場合は、図１と同様の傾向となるが、リンク層フレーム長がある長さ（２５０Byte）を超えると、リンク層フレーム数の減少によるＰＥＲの改善度よりも、リンク層フレーム長の増加によるＰＥＲの劣化が支配的になることを意味する。従って、リンク層フレーム長の増加によって、ＰＥＲが劣化する。この場合、ＰＥＲを最小にするリンク層フレーム長が存在する。
【００２８】
図１及び図２によれば、ＩＰパケットをリンク層フレームで分割し、かつ最適なリンク層フレーム長を選択することによって、ＰＥＲが最小となることが理解できる。
【００２９】
図３は、端末がリンク層フレームを主体的に決定する本発明のシステム構成図である。
【００３０】
端末１は、移動速度検出部１０１と、マルチパス数検出部１０２と、フレーム長検索部１０３と、テーブル情報蓄積部１０４と、上位層処理部１０６と、リンク層処理部１０７と、物理層処理部１０８と、状態情報受信部１０９とを有する。
【００３１】
移動速度検出部１０１は、端末１自身の移動速度を検出する。例えば、端末がＧＰＳ(Global Positioning System)機能を有する場合、時間経過と位置変化とから移動速度を算出することができる。移動速度検出部１０１は、検出した移動速度情報をフレーム長検索部１０３へ通知する。
【００３２】
マルチパス数検出部１０２は、第１に、基地局からの下り方向パケットについてマルチパス数を検出する機能を有する。第２に、状態情報受信部１０９から、基地局によって検出されたマルチパス数の通知を受ける機能を有する。マルチパス数検出部１０２は、検出又は受信したマルチパス数を、フレーム長検索部１０３へ通知する。
【００３３】
「マルチパス」とは、基地局から送信された電波が建物や地形などの障害によって反射・回折し、端末が複数の経路から同じ電波を受信してしまうことをいう。マルチパスが生じた場合、複数の異なる経路距離の電波を受信するために、波形に位相のずれが生じる。このために、受信した電波にノイズが生じたり、符号の復号化ができなくなる場合がある。
【００３４】
状態情報受信部１０９は、基地局２から、上り方向パケットのマルチパス数を含む状態情報を受信する。状態情報に含まれるマルチパス数は、マルチパス数検出部１０２へ通知される。
【００３５】
フレーム長検索部１０３は、テーブル情報蓄積部１０４を用いて、検出された移動速度及びマルチパス数に対応するリンク層フレーム長を検索する。
【００３６】
テーブル情報蓄積部１０４は、移動速度及びマルチパス数に対応付けてリンク層フレーム長を規定するテーブル情報を蓄積する。以下の表１は、テーブル情報を表す。
【表１】
0004671420.tif 000002
【００３７】
テーブル情報は、移動速度及びマルチパス数の組み合わせ毎に、ＰＥＲが最小となるリンク層フレーム長を規定する。例えば、前述した図１及び２からも理解できるように、移動速度及びマルチパス数に応じて予め実測し、ＦＥＲ及びＰＥＲが最小となるリンク層フレームを決定しておく。これにより、移動速度及びマルチパス数に基づいて、ＦＥＲ及びＰＥＲが最小となるリンク層フレームを選択することができる。
【００３８】
また、テーブル情報は、移動速度が速いほど短いリンク層フレーム長を規定し、マルチパス数が多いほど短いリンク層フレーム長を規定するものであってもよい。予め実測することなく、移動速度とマルチパス数に応じた概ねのリンク層フレーム長を決定することができる。
【表２】
0004671420.tif 000003
【００３９】
フレーム長送信部１０５は、フレーム長検索部１０３によって検索されたフレーム長を基地局２へ送信する。これにより、基地局２からの下り方向パケットのリンク層フレーム長を変更することができる。
【００４０】
上位層処理部１０６は、レイヤ３パケット、例えばＩＰパケットを処理することが可能な通信レイヤ処理部である。リンク層処理部１０７は、フレーム長検索部１０３から通知されたリンク層フレーム長に基づいて、基地局２へ送信する上り方向の上位レイヤパケットを分割する。物理層処理部１０８は、分割されたリンク層フレーム毎に、物理層フレームを構成し、そのフレームを無線回線へ送信する。
【００４１】
図３によれば、基地局２は、マルチパス数検出部２０２と、フレーム長受信部２０５と、上位層処理部２０６と、リンク層処理部２０７と、物理層処理部２０８と、状態情報送信部２０９とを有する。
【００４２】
マルチパス数検出部２０２は、端末１からの上り方向パケットを受信し、マルチパス数を検出する機能を有する。検出されたマルチパス数は、状態情報送信部２０９へ通知される。
【００４３】
状態情報送信部２０９は、マルチパス数検出部２０２によって検出された上り方向パケットのマルチパス数を、端末１へ状態情報として送信する。
【００４４】
フレーム長受信部２０５は、端末１からリンク層フレーム長を受信し、そのフレーム長をリンク層処理部２０７へ通知する。これにより、基地局２からの下り方向パケットにおけるリンク層フレーム長を、端末１から変更することができる。
【００４５】
図４は、図３における本発明のシーケンス図である。
【００４６】
端末がリンク層フレームを主体的に決定する場合、上り方向パケットに対するリンク層フレーム長の決定と、下り方向パケットに対するリンク層フレーム長の決定との２つのシーケンスがある。
【００４７】
上り方向パケットに対するリンク層フレーム長の決定は、Ｓ４０１〜Ｓ４０３に基づく。
（Ｓ４０１）端末１のマルチパス数検出部１０２は、電波伝搬環境を計測するためのパケット（以下「試験パケット」という）を基地局２へ送信する。
（Ｓ４０２）基地局２のマルチパス数検出部２０２は、試験パケットを受信することによって、マルチパス数を検出する。検出されたマルチパス数は、基地局２の状態情報送信部２０９から端末１へ送信される。そのマルチパス数は、端末１のマルチパス検出部１０２によって受信され、フレーム長検索部１０３へ通知される。
（Ｓ４０３）端末１のフレーム長検索部１０３は、端末１自身の移動速度と、基地局２から受信したマルチパス数とに基づいて、リンク層フレーム長を決定する。そのリンク層フレーム長は、リンク層処理部１０７へ通知される。端末１のリンク層処理部１０７は、そのリンク層フレーム長に基づいて、上位レイヤパケットをリンク層フレームに分割する。これにより、上り方向パケットに対するリンク層フレーム長が変更される。
【００４８】
下り方向パケットに対するリンク層フレーム長の決定は、Ｓ４０４〜Ｓ４０６に基づく。
（Ｓ４０４）基地局２のマルチパス数検出部２０２は、試験パケットを端末１へ送信する。端末１のマルチパス数検出部１０２は、試験パケットを受信することによって、マルチパス数を検出する。検出されたマルチパス数は、フレーム長検索部１０３へ通知される。
（Ｓ４０５）端末１のフレーム長検索部１０３は、端末１自身の移動速度と、検出したマルチパス数とに基づいて、リンク層フレーム長を決定する。そのリンク層フレーム長は、フレーム長送信部１０５へ通知される。フレーム長送信部１０５は、そのリンク層フレーム長を、基地局２へ送信する。
（Ｓ４０６）基地局２のフレーム長受信部２０５は、端末１から受信したリンク層フレーム長をリンク層処理部２０７へ通知する。これにより、基地局１のリンク層処理部２０７は、そのリンク層フレーム長に基づいて、上位レイヤパケットをリンク層フレームに分割する。これにより、下り方向パケットに対するリンク層フレーム長が変更される。
【００４９】
図５は、基地局がリンク層フレームを主体的に決定する本発明のシステム構成図である。
【００５０】
基地局２は、フレーム長検索部２０３と、テーブル情報蓄積部２０４と、上位層処理部２０６と、リンク層処理部２０７と、物理層処理部２０８と、状態情報受信部２１０と、マルチパス数検出部２０２と、フレーム長送信部２１１とを有する。
【００５１】
状態情報受信部２１０は、端末１から、移動速度を含む状態情報、又は、移動速度及びマルチパス数を含む状態情報を受信する。受信された移動速度及びマルチパス数は、フレーム長検索部２０３へ通知される。
【００５２】
マルチパス数検出部２１０は、端末１からの上り方向パケットによってマルチパス数を検出する機能を有する。マルチパス数検出部２１０は、検出したマルチパス数を、フレーム長検索部２０３へ通知する。
【００５３】
フレーム長送信部２０２は、フレーム長検索部２０３によって検索されたリンク層フレーム長を、端末１へ送信する。これにより、端末１からの上り方向パケットにおけるリンク層フレーム長を変更することができる。
【００５４】
フレーム長検索部２０３と、テーブル情報蓄積部２０４と、上位層処理部２０６と、リンク層処理部２０７と、物理層処理部２０８とは、図３における各機能部と同じである。
【００５５】
図５によれば、端末１は、移動速度検出部１０１と、マルチパス数検出部１０２と、フレーム長受信部１１０と、状態情報送信部１１１と、上位層処理部１０６と、リンク層処理部１０７と、物理層処理部１０８とを有する。
【００５６】
フレーム長受信部１１０は、基地局２からのリンク層フレーム長を受信し、そのフレーム長をリンク層処理部１０７へ通知する。これにより、端末１からの上り方向パケットにおけるリンク層フレーム長を、基地局２から変更することができる。
【００５７】
マルチパス数検出部２０３は、下り方向パケットを受信し、マルチパス数を検出する機能を有する。検出されたマルチパス数は、状態情報送信部１１１へ通知される。
【００５８】
状態情報送信部１１１は、移動速度検出部１０１によって検出された移動速度と、マルチパス数検出部１０２によって検出されたマルチパス数とを、状態情報として、基地局２へ送信する。
【００５９】
移動速度検出部１０１と、マルチパス数検出部１０２と、上位層処理部１０６と、リンク層処理部１０７と、物理層処理部１０８とは、図３における各機能部と同じである。
【００６０】
図６は、図５における本発明のシーケンス図である。
【００６１】
端末がリンク層フレームを主体的に決定する場合、上り方向パケットに対するリンク層フレーム長の決定と、下り方向パケットに対するリンク層フレーム長の決定との２つのシーケンスがある。
【００６２】
上り方向パケットに対するリンク層フレーム長の決定は、Ｓ６０１〜Ｓ６０３に基づく。
（Ｓ６０１）端末１の状態情報送信部１１１は、端末１における移動速度を含む状態情報を基地局２へ送信する。基地局２の状態情報受信部２１０は、端末１から状態情報を受信し、状態情報に含まれる移動速度をフレーム長検索部２０３へ通知する。また、基地局２のマルチパス数検出部２０２は、端末１からの上り方向パケットによってマルチパス数を検出する。検出されたマルチパス数は、フレーム長検索部２０３へ通知される。
（Ｓ６０２）基地局２のフレーム長検索部２０３は、端末１から通知された移動速度と、検出したマルチパス数とに基づいて、リンク層フレーム長を決定する。そのリンク層フレーム長は、フレーム長送信部２１１へ通知される。フレーム長送信部２１１は、フレーム長検索部２０３によって検索されたリンク層フレーム長を、端末１へ送信する。
（Ｓ６０３）端末１のフレーム長受信部１１０は、基地局２からリンク層フレーム長を受信する。そのリンク層フレーム長は、リンク層処理部１０７へ通知される。これにより、端末１のリンク層処理部１０７は、基地局２から受信したリンク層フレーム長に基づいて、上位レイヤパケットをリンク層フレームに分割する。これにより、上り方向パケットのリンク層フレーム長が変更される。
【００６３】
下り方向パケットに対するリンク層フレーム長の決定は、Ｓ６０４〜Ｓ６０６に基づく。
（Ｓ６０４）基地局２のマルチパス数検出部２０２は、試験パケットを端末１へ送信する。端末１のマルチパス数検出部１０２は、受信した試験パケットによって、マルチパス数を検出する。検出されたマルチパス数は、状態情報送信部１１１へ通知される。また、端末１の移動速度検出部１０１は、検出した端末１自身の移動速度を、状態情報送信部１１１へ通知する。
（Ｓ６０６）端末１の状態情報送信部１１１は、移動速度及びマルチパス数を含む状態情報を基地局２へ送信する。基地局２の状態情報受信部２１０は、受信した移動速度及びマルチパス数をフレーム長検索部２０３へ通知する。フレーム長検索部２０３によって検索されたリンク層フレーム長は、リンク層処理部２０７へ通知される。これにより、基地局２のリンク層処理部２０７は、端末１から受信した状態情報に基づいて、上位レイヤパケットをリンク層フレームに分割する。これにより、下り方向パケットのリンク層フレーム長が変更される。
【００６４】
本発明における通信装置等によれば、低遅延モバイルネットワークについて、電波伝搬環境に関わらず、パケット損失率を最小化することができる。端末の移動速度及びマルチパス数に応じてリンク層フレーム長を変化させることにより、ＰＥＲを最小にすることができる。これは、再送回数を減らすことにつながり、特に、低遅延モバイルネットワークにおいては、レイヤ３パケットの伝送に要する時間の短縮化を実現できる。
【００６５】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６６】
【図１】端末の移動が低速度の場合の、リンク層フレーム長に対するＦＥＲ及びＰＥＲの変化を表すグラフである。
【図２】端末の移動が高速度の場合の、リンク層フレーム長に対するＦＥＲ及びＰＥＲの変化を表すグラフである。
【図３】端末がリンク層フレームを主体的に決定する本発明のシステム構成図である。
【図４】図３における本発明のシーケンス図である。
【図５】基地局がリンク層フレームを主体的に決定する本発明のシステム構成図である。
【図６】図５における本発明のシーケンス図である。
【符号の説明】
【００６７】
１  端末
１０１  移動速度検出部
１０２  マルチパス数検出部
１０３  フレーム長検索部
１０４  テーブル情報蓄積部
１０５  フレーム長送信部
１０６  上位層処理部
１０７  リンク層処理部
１０８  物理層処理部
１０９  状態情報受信部
１１０  フレーム長受信部
１１１  状態情報送信部
２  基地局
２０２  マルチパス数検出部
２０３  フレーム長検索部
２０４  テーブル情報蓄積部
２０５  フレーム長受信部
２０６  上位層処理部
２０７  リンク層処理部
２０８  物理層処理部
２０９  状態情報送信部
２１０  状態情報受信部
２１１  フレーム長送信部
【図１】
0004671420.tif 000004
【図２】
0004671420.tif 000005
【図３】
0004671420.tif 000006
【図４】
0004671420.tif 000007
【図５】
0004671420.tif 000008
【図６】
0004671420.tif 000009